(57)【要約】【課題】  ドア上パネルの取り付けや取り外しを浴室内側からでき、浴室外側（洗面室側）に建築の壁が完成した後でも、交換や調整が簡易であり、また、ドア横アングルの上端でドア上パネルを仮置きできるので、一人の作業員で上記各作業を行うことができるユニットルームのドア上パネルの取付構造を提供する。【解決手段】  壁パネルで挟まれたドア枠の上方に、ドア上パネルを設け、そのドア上パネルの上端と壁パネルの上端とに天井パネルを取付けて構成されたユニットルームの上記ドア枠と上記壁パネルで囲まれた空間に設置されるドア上パネルの取り付け構造であって、上記ドアと直角をなす壁パネル及びドアと一直線になる壁パネルに、壁パネルの高さよりドア上パネルの高さ分だけ短いドア横コーナーアングル及びドア横フラットアングルを床面に接するように夫々取り付ける。【選択図】図１
2009114692.tif 000002
【特許請求の範囲】
【請求項１】
壁パネルで挟まれたドア枠の上方に、ドア上パネルを設け、そのドア上パネルの上端と壁パネルの上端とに天井パネルを取付けて構成されたユニットルームの上記ドア枠と上記壁パネルで囲まれた空間に設置されるドア上パネルの取り付け構造であって、上記ドアと直角をなす壁パネル及びドアと一直線になる壁パネルに、壁パネルの高さよりドア上パネルの高さ分だけ短いドア横コーナーアングル及びドア横フラットアングルを床面に接するように夫々取り付け、次に、ドア上パネルの三角形状の両端部に、ドア上パネルと略同一高さのコーナージョイナとフラットジョイナを取り付け、ドア上パネルのコーナージョイナを上記ドアと直角をなす壁パネルの三角形状の端部に取り付けると共に、フラットジョイナをドアと一直線になる壁パネルの三角形状の端部に取り付け、該コーナージョイナとフラットジョイナは上記ドア横コーナーアングル及びドア横フラットアングルの上端と夫々当接させてドア上パネルの上端をドアと直角をなす壁パネル及びドアと一直線になる壁パネルの上端と略同一の高さとなるように設定し、ドア上パネルとドアと直角をなす壁パネル及びドアと一直線になる壁パネルの間にガスケットを差し込むことでドア上パネルを取り付けることを特徴とするユニットルームのドア上パネルの取付構造。
【発明の詳細な説明】
【技術分野】
【０００１】
この発明は、浴室ユニット等のユニットルームのドア上パネルの取付構造に係り、特に、ユニットルームにおける壁パネルで挟まれたドア枠の上方に、ドア上パネルを一人の作業員で簡易に取付けることができるユニットルームのドア上パネルの取付構造に関する。
【背景技術】
【０００２】
一般に、ユニットルームの出入口であるドア本体の上方には、壁パネルで挟まれたドア枠上にドア上パネルを取付けている。
【０００３】
このドア上パネルの取付構造には、例えば、工場出荷時にドア上パネルをドア枠の上面に載置させ、両者をネジで固定した一体構造のものもあるが、一般には、ユニットルーム等を設置する施工現場において、壁パネルに挟まれて設置されたドア枠の上方にドア上パネルを載置して固定される。
【０００４】
具体的には、ドア本体がユニットルーム等のコーナー部に設置される場合には、ドア本体に直交して隣接される壁パネルの側端面に断面Ｌ形のドアジョイナーを固定しておき、この固定したドアジョイナーにネジを貫通させて、壁パネルとドア枠とを固定連結する。
【０００５】
そして、この固定連結されたドア枠の上に、箱状のドア上パネルを載置すると共に、複数のネジを壁パネル裏側からドアジョイナーを通じてドア上パネルの側面に螺着して、ドア上パネルをドアジョイナーに固定した後、ドア上パネルの上端を天井パネルに連結ネジ等で固定して取付ける構造にしているが、この構造では、壁パネル裏側のスペースが狭小な場合には、壁パネル側からネジの締付け作業が難しいだけでなく、例えば、ドア上パネルを設置後、パネル壁裏側に間仕切り壁等が設置された場合には、一担取付けたドア上パネルを取り外しできないという問題もあった。
【０００６】
かかる問題を解決するため、従来のこの種のパネルの取付構造の改良案として、例えば、特許文献１に示すものが公知である。この改良取付構造は、壁パネルで挟まれたドア枠の上方に、ドア上小壁を設け、そのドア上小壁の上端と壁パネルの上端とに天井パネルを取付けて構成されたユニットルームにおいて、上記ドア上小壁は、その両側端に、底片と立ち上がり片とで構成された一対のＬ字型固定具を介在させて上記ドア枠と上記壁パネルで囲まれた空間に設置されるようにした取り付け構造であって、上記ドア上小壁は、その下端と上記Ｌ字型固定具の底片とを、嵌合手段で固定し、かつ上記Ｌ字型固定具の上記立ち上がり片を直接上記壁パネルに取り付けるようにしたものである。
【０００７】
【特許文献１】特開２００６−２６６００１号公報
【発明の開示】
【発明が解決しようとする課題】
【０００８】
しかしながら、上記従来の改良構造にあっても、ドア上パネルを、横側で固定する構造ではないため、該パネルが前後にぐらつき易く、また、該パネルの取付作業は、比較的高い所で行うため、作業性が非常に悪く、さらに部品点数が多いため、作業が煩雑であり、コスト高となる、という問題を有していた。
【０００９】
この発明は、かかる現状に鑑み創案されたものであって、その目的とするところは、ドア上パネルの取り付けや取り外しを浴室内側からでき、浴室外側（洗面室側）に建築の壁が完成した後でも、交換や調整が簡易であり、また、ドア横アングルの上端でドア上パネルを仮置きできるので、一人の作業員で上記各作業を行うことができるユニットルームのドア上パネルの取付構造を提供しようとするものである。
【課題を解決するための手段】
【００１０】
上記目的を達成するため、この発明に係るユニットルームのドア上パネルの取付構造にあっては、壁パネルで挟まれたドア枠の上方に、ドア上パネルを設け、そのドア上パネルの上端と壁パネルの上端とに天井パネルを取付けて構成されたユニットルームの上記ドア枠と上記壁パネルで囲まれた空間に設置されるドア上パネルの取り付け構造であって、上記ドアと直角をなす壁パネル及びドアと一直線になる壁パネルに、壁パネルの高さよりドア上パネルの高さ分だけ短いドア横コーナーアングル及びドア横フラットアングルを床面に接するように夫々取り付け、次に、ドア上パネルの三角形状の両端部に、ドア上パネルと略同一高さのコーナージョイナとフラットジョイナを取り付け、ドア上パネルのコーナージョイナを上記ドアと直角をなす壁パネルの三角形状の端部に取り付けると共に、フラットジョイナをドアと一直線になる壁パネルの三角形状の端部に取り付け、該コーナージョイナとフラットジョイナは上記ドア横コーナーアングル及びドア横フラットアングルの上端と夫々当接させてドア上パネルの上端をドアと直角をなす壁パネル及びドアと一直線になる壁パネルの上端と略同一の高さとなるように設定し、ドア上パネルとドアと直角をなす壁パネル及びドアと一直線になる壁パネルの間にガスケットを差し込むことでドア上パネルを取り付けることを特徴とするものである。
【発明の効果】
【００１１】
それ故、この発明にあっては、ドア上パネルの取り付けや取り外しを浴室内側からでき、浴室外側（洗面室側）に建築の壁が完成した後でも、交換や調整が簡易であり、また、ドア横アングルの上端でドア上パネルを仮置きできるので、一人の作業員で上記各作業を行うことができる等、幾多の優れた効果が得られる。
【発明を実施するための最良の形態】
【００１２】
以下、添付図面に示す発明の一実施形態例に基づき、この発明を詳細に説明する。
【００１３】
図１は、この発明の一実施形態例に係るユニットルームのドア上パネルの取付状態を示す斜視図を、図２は同取り付け構造に用いられるコーナージョイナの取り付け状態を示す斜視図を、図３は同取り付け構造に用いられるフラットジョイナの取り付け状態を示す斜視図を、図４は同取り付け構造に用いられるドア横コーナーアングルの平面図と正面図を、図５は同ドア横コーナーアングルの側面図を、図６は同ドア横コーナーアングルの使用状態を示す説明図を、図７は同取り付け構造に用いられるドア横フラットアングルの平面図と正面図を、図８は同ドア横フラットアングルの側面図を、図９は同ドア横フラットアングルの側面図を、図１０は同取り付け構造に用いられるドア横アングル受けを示す平面図と正面図を、図１１は同ドア横アングル受けの使用状態を示す説明図を、図１２は同ドア上パネルとコーナージョイナの取り付け状態を示す分解斜視図を、図１３は同ドア上パルとフラットジョイナの取り付け状態を示す分解斜視図を、図１４は同取り付け構造に用いられるドア上壁パネルジョイナー下部固定金具を示す斜視図を、図１５はドア上パネルにドア上壁パネルジョイナー下部固定金具を取り付けた状態を示す分解斜視図を、図１６はドア上パネルの取り付け状態を示す斜視図を、図１７は同取り付け構造に用いられるコーナーガスケットとフラットガスケットの取り付け状態を示す斜視説明図を、図１８は同コーナーガスケットを示す正面図と平面図を、図１９は同フラットガスケットを示す正面図と平面図を、図２０は同コーナーガスケットを打ち込んだ状態を示す斜視図を、図２１は同フラットガスケットを打ち込んだ状態を示す斜視図を、夫々示している。
【００１４】
図１乃至図１１に示すように、この実施形態例に係るユニットバスルームにおけるコーナー部のドア本体を包囲するドア枠１の上部にドア上パネル３を取り付ける構造を示しており、このドア上パネル３の上端と壁パネル９，１１の上端とに天井パネル（図示せず）を取付けてユニットルームは構成されている。尚、ユニットルームの各壁パネル同士の固定や天井パネルの固定は、公知の取付構造を適用することができるので、ここではその詳細な説明を省略する。
【００１５】
即ち、上記ドア枠１と上記壁パネル９，１１で囲まれた空間に設置されるドア上パネル３は、上記ドアと直角をなす壁パネル９及びドアと一直線になる壁パネル１１に、壁パネル９，１１の高さよりドア上パネル３の高さ分だけ短いドア横コーナーアングル２０（図４乃至図６参照）及びドア横フラットアングル３０（図７乃至図８参照）を床面４に接するように夫々取り付けられる。尚、図１０は、上記ドア横フラットアングル３０のドア横アングル受け３１を示している。
【００１６】
ドア横フラットアングル３０及びドア横アングル受け３１を以上のように構成することで、図１１に示すように、ドア横アングル受け３１に形成された三角形状の溝３３に、壁パネル１１の三角形状の端部１１Ａを嵌合係止した後、ドア横フラットアングル３０とドア横アングル受け３１をねじ止めすることにより上記嵌合が外れないように取り付けられる。
【００１７】
そして、ドア上パネル３は、板金を折曲加工して形成され、該ドア上パネル３の三角形状の両端部３Ａ，３Ｂに、ドア上パネル３と略同一高さのコーナージョイナ４０（図２、図１２参照）とフラットジョイナ５０（図３、図１３参照）をねじ止め固定する。
【００１８】
次に、ドア上パネル３に、図１４に示すドア上壁パネルジョイナー下部固定金具７０をねじ止め固定する。
【００１９】
そして、図１５及び図１６に示すように、ドア上パネル３のコーナージョイナ４０を上記壁パネル９の三角形状の端部９Ａに押し付けるようにして取り付けると共に、フラットジョイナ５０を壁パネル１１の三角形状の端部１１Ａに押し付けるように取り付け、該コーナージョイナ４０とフラットジョイナ５０は、上記ドア横コーナーアングル２０及びドア横フラットアングル３０の上端と夫々当接させてドア上パネル３の上端を壁パネル９及び壁パネル１１の上端と略同一の高さとなるように設定する。
【００２０】
そして、ドア上パネル３と壁パネル９及び壁パネル１１の間に、図１７に示すように、ガスケット６０、６１を差し込むことでドア上パネルを取り付ける。この場合、ドア上パネル３の落下を防止するため、コーナーガスケット６０（図１８参照）及びフラットガスケット６１（図１９参照）を一旦仮とめする。この後、仮とめしていた短いコーナーガスケット６０及びフラットガスケット６１を外し、壁パネル９，１１の下部にシリコーンを塗布し、続いて、コーナーガスケット６０及びフラットガスケット６１を打ち込む。この場合、コーナーガスケット６０及びフラットガスケット６１は、壁を組み込んだ際に打ち込んだ短いガスケットを取り付けた順に打ち込まれる。
【００２１】
次に、図２０と図２１に示すように、ドア上パネル３には、図２２に示すドア上パネル用ガスケット６０，６１を、天井設置後、打ち込むことで、作業は終了する。
【００２２】
このように、本実施形態例に係るドア上パネル３の取り付け構造にあっては、ドア上パネル３の取り付けや取り外しを浴室内側からでき、浴室外側（洗面室側）に建築の壁が完成した後でも、交換や調整が簡易であり、また、ドア横アングル２０，３０の上端でドア上パネル３を仮置きできるので、一人の作業員で上記各作業を行うことができると共に、ドアの上方は天井があるので、該取り付け部が隠蔽され、また、該取り付け部の下部にねじを露呈させたくない、という要望にも応えることもできる。
【００２３】
尚、上記実施形態例では、この発明を、例えば、浴室ユニットルームを想定し説明したが、この発明にあってはこれに限定されるものではなく、各種組み立て式ユニットルームのドア上パネルの取り付けにも適用できること勿論である。
【図面の簡単な説明】
【００２４】
【図１】この発明の一実施形態例に係るユニットルームのドア上パネルの取付状態を示す斜視図である。
【図２】同取り付け構造に用いられるコーナージョイナの取り付け状態を示す斜視図である。
【図３】同取り付け構造に用いられるフラットジョイナの取り付け状態を示す斜視図である。
【図４】同取り付け構造に用いられるドア横コーナーアングルの平面図と正面図である。
【図５】同ドア横コーナーアングルの側面図である。
【図６】同ドア横コーナーアングルの使用状態を示す説明図である。
【図７】同取り付け構造に用いられるドア横フラットアングルの平面図と正面図である。
【図８】同ドア横フラットアングルの側面図である。
【図９】同ドア横フラットアングルの側面図である。
【図１０】同取り付け構造に用いられるドア横アングル受けを示す平面図と正面図である。
【図１１】同ドア横アングル受けの使用状態を示す説明図である。
【図１２】同ドア上パネルとコーナージョイナの取り付け状態を示す分解斜視図である。
【図１３】同ドア上パネルとフラットジョイナの取り付け状態を示す分解斜視図である。
【図１４】同取り付け構造に用いられるドア上壁パネルジョイナー下部固定金具を示す斜視図である。
【図１５】同ドア上パネルにドア上壁パネルジョイナー下部固定金具を取り付けた状態を示す分解斜視図である。
【図１６】ドア上パネルの取り付け状態を示す斜視図である。
【図１７】同取り付け構造に用いられるコーナーガスケットとフラットガスケットの取り付け状態を示す斜視説明図である。
【図１８】同コーナーガスケットを示す正面図と平面図である。
【図１９】同フラットガスケットを示す正面図と平面図である。
【図２０】同コーナーガスケットを打ち込んだ状態を示す斜視図である。
【図２１】同フラットガスケットを打ち込んだ状態を示す斜視図である。
【符号の説明】
【００２５】
１  ドア枠
３  ドア上パネル
３Ａ，３Ｂ  該ドア上パネルの三角形状の両端部
４  床面
９  ドアと直角をなす壁パネル
９Ａ  壁パネルの三角形状の端部
１１  ドアと一直線になる壁パネル
１１Ａ  壁パネルの三角形状の端部
２０  ドア横コーナーアングル
３０  ドア横フラットアングル
３３  三角形状の溝
４０  コーナージョイナ
５０  フラットジョイナ
６０  コーナーガスケット
６１  フラットガスケット
７０  ドア上壁パネルジョイナー下部固定金具
【図１】
2009114692.tif 000003
【図２】
2009114692.tif 000004
【図３】
2009114692.tif 000005
【図４】
2009114692.tif 000006
【図５】
2009114692.tif 000007
【図６】
2009114692.tif 000008
【図７】
2009114692.tif 000009
【図８】
2009114692.tif 000010
【図９】
2009114692.tif 000011
【図１０】
2009114692.tif 000012
【図１１】
2009114692.tif 000013
【図１２】
2009114692.tif 000014
【図１３】
2009114692.tif 000015
【図１４】
2009114692.tif 000016
【図１５】
2009114692.tif 000017
【図１６】
2009114692.tif 000018
【図１７】
2009114692.tif 000019
【図１８】
2009114692.tif 000020
【図１９】
2009114692.tif 000021
【図２０】
2009114692.tif 000022
【図２１】
2009114692.tif 000023